(57)【要約】      （修正有）【課題】同じ旋律の合唱の際に混合された歌唱音量出力を調整するカラオケシステムに関し、任意のカラオケ楽曲を歌唱している最中に、同じ旋律を複数の歌唱者が歌唱する場面があった場合でも、聴取者に対してうるさく聴こえさせることなく、また、最終出力のうねりなどを回避し、聴取者にとって違和感のない出力状態とする。【解決手段】第１マイク、第２マイクから入力される歌唱音声に対し、第１マイク又は第２マイクの両方から入力された歌唱音声が共に同じ旋律の場合に、入力歌唱音声に対して音量圧縮を行う起点とする音量レベルの閾値及び当該閾値を超えたときの音量圧縮比につき、エフェクタにデフォルト設定された閾値ＴＨ１より低い閾値ＴＨ２及びデフォルト設定された音量圧縮比「１：３」より大きい音量圧縮比「１：５」を当該エフェクタに設定変更する設定する構成とする。【選択図】図３
2010204195.tif 000002
【特許請求の範囲】
【請求項１】
少なくとも第１マイク及び第２マイクを備えて、歌唱音声に対して音量圧縮を行うエフェクタを介して、各マイクから入力された歌唱音声をミキシングアンプに出力させるカラオケシステムであって、
旋律比較判定手段及びエフェクタ制御手段を有し、
前記旋律比較判定手段は、前記第１マイク及び第２マイクより歌唱音声を取得し、両方から歌唱音声が同時に取得された場合に、共に同じ旋律か否かを比較判定し、
前記エフェクタ制御手段は、前記比較判定の結果により共に同じ旋律の場合に、前記入力歌唱音声に対して音量圧縮を行う起点とする音量レベルの閾値及び当該閾値を超えたときの音量圧縮比につき、前記エフェクタにデフォルト設定された閾値より低い閾値及びデフォルト設定された音量圧縮比より大きい音量圧縮比の少なくとも何れかを当該エフェクタに設定変更する、
ことを特徴とする歌唱音量調整機能を備えるカラオケシステム。
【発明の詳細な説明】
【技術分野】
【０００１】
本発明は、カラオケシステムの技術分野に属し、同じ旋律の合唱の際に混合された歌唱音量出力を調整するシステムに関する。
【背景技術】
【０００２】
近年、カラオケシステムを備える設備では、少なくとも２本のマイクが用意されていることが多く、通常１本のマイクを使用したソロの歌唱の場合に比べて、２本のマイクを使用して複数人となった合唱の場合とでは音量が大きくなる。そのため、音量が大きくなっても違和感のない音量調整が望まれる。
【０００３】
従来、カラオケ装置においては、スピーカより出力される音量が聞き難いほどに大きくなった場合の対処として種々の技術が提案されている。例えば、マイクアンプより入力されるボーカル音声信号と楽曲信号の出力ボリウムの設定バランスに従って当該マイクアンプの出力ゲインを設定してマイクアンプからのボーカル音声信号と楽曲信号との合成制御を行うことが提案されている（特許文献１）。
【０００４】
また、２本のマイクより入力された音声信号の音量レベルを比較した結果に基づいて各音声信号の音声を同じ音量で聴取可能な音量レベルにすべくオートゲインコントローラがマイクアンプを調整することが提案されている（特許文献２）。
【先行技術文献】
【特許文献】
【０００５】
【特許文献１】特開平０９−２１４２６６号公報
【特許文献２】特開平１０−２８２９９２号公報
【発明の概要】
【発明が解決しようとする課題】
【０００６】
一般的に、１本のマイクより入力される歌唱音声の出力音量に比べて、２本のマイクから同じ旋律で入力されて混合された合唱歌唱の場合には、その出力音量がより大きく聴こえるという現象がある。この現象とは、所謂「共鳴現象」に基づくもので、同じ旋律の歌唱を同時に発声した場合、その音量レベルがある程度大きくなると、ソロ歌唱に比べ、例えこれと同じ音量レベルであっても、合唱歌唱となった場合、聴取者には増幅してうるさく聴こえてしまうことがある。
【０００７】
ところで、歌唱音声を快適に聴こえるように最終出力（スピーカ出力）するための技術として、上記特許文献１，２があるが、何れもマイクアンプのゲインを調整するものであって、全体的に音量を低下させることから、不都合が生じることがある。例えば、ゲインを抑制した場合、それぞれのマイクを使用している歌唱者の内、一方の歌唱者は比較的大きな音量で歌えるので、この音量は適度に調整されるが、他方の歌唱者が小さな音量でしか歌えない場合には、同じ比率でゲインを下げると、小さな音量はより小さくなって聴き難くなり、歌唱者にとっても不公平感を生じさせてしまうという問題がある。
【０００８】
この問題を解決するために、仮に、特許文献２の技術を適用し、２本のマイク同士の音量バランスを調整できたとして、比較的小さいとされる音量レベルに合わせても、その音量自体のレベルが既に大きくなり過ぎていると、比較的大きいとされる音量レベルが抑制されても、結局、うるさく聴こえてしまうことになり、この問題の解決にはならない。しかも、頻繁にゲイン調整が行われると、最終出力にて所謂「うねり状態」が生じて聴く者にとって違和感を生じさせてしまうという問題がある。
【０００９】
そこで、本発明は上記課題に鑑みなされたもので、任意のカラオケ楽曲を歌唱している最中に、同じ旋律を複数の歌唱者が歌唱する場面があった場合でも、聴取者に対してうるさく聴こえさせることなく、また、最終出力のうねりなどを回避し、聴取者にとって違和感のない出力状態とすることができる歌唱音量調整機能を備えるカラオケシステムを提供することを目的とする。
【課題を解決するための手段】
【００１０】
上記課題を解決するために、請求項１の発明では、少なくとも第１マイク及び第２マイクを備えて、歌唱音声に対して音量圧縮を行うエフェクタを介して、各マイクから入力された歌唱音声をミキシングアンプに出力させるカラオケシステムであって、旋律比較判定手段及びエフェクタ制御手段を有し、前記旋律比較判定手段は、前記第１マイク及び第２マイクより歌唱音声を取得し、両方から歌唱音声が同時に取得された場合に、共に同じ旋律か否かを比較判定し、前記エフェクタ制御手段は、前記比較判定の結果により共に同じ旋律の場合に、前記入力歌唱音声に対して音量圧縮を行う起点とする音量レベルの閾値及び当該閾値を超えたときの音量圧縮比につき、前記エフェクタにデフォルト設定された閾値より低い閾値及びデフォルト設定された音量圧縮比より大きい音量圧縮比の少なくとも何れかを当該エフェクタに設定変更する、構成とする。
【発明の効果】
【００１１】
本発明によれば、第１マイク、第２マイクから入力される歌唱音声に対し、第１マイク又は第２マイクの両方から入力された歌唱音声が共に同じ旋律の場合に、入力歌唱音声に対して音量圧縮を行う起点とする音量レベルの閾値及び当該閾値を超えたときの音量圧縮比につき、エフェクタにデフォルト設定された閾値より低い閾値及びデフォルト設定された音量圧縮比より大きい音量圧縮比の少なくとも何れかを当該エフェクタに設定変更する構成とすることにより、任意のカラオケ楽曲を歌唱している最中に、同じ旋律を複数の歌唱者が歌唱する場面があった場合でも、聴取者に対してうるさく聴こえさせることなく、また、最終出力のうねりなどを回避し、聴取者にとって違和感のない出力状態とすることができるものである。
【図面の簡単な説明】
【００１２】
【図１】本発明に係るカラオケシステムの歌唱音量調整機能部分のブロック構成図である。
【図２】図１の旋律比較判定手段の処理説明図である。
【図３】図１のコンプ／リミッタ制御手段の制御説明図である。
【図４】図１のコンプ／リミッタ制御手段の他の制御説明図（１）である。
【図５】図１のコンプ／リミッタ制御手段の他の制御説明図（２）である。
【発明を実施するための形態】
【００１３】
以下、本発明の実施形態を図により説明する。ここでは、カラオケシステムに２本のマイクが使用される場合を示して説明するが、３本以上の場合であっても適用することができるものである。
【００１４】
図１に本発明に係るカラオケシステムの歌唱音量調整機能部分のブロック構成図を示すと共に、図２に図１の旋律比較判定手段の処理説明図を示す。図１において、カラオケシステム１１は、第１マイク１２及び第２マイク１３が用意される。第１マイク１２からはリミッタとコンプレッサとを備えるエフェクタ（以下、「コンプ／リミッタ」と称する）としての第１コンプ／リミッタ（第１エフェクタ）１４、第１マイクアンプ１５を介してミキシングアンプ１６に歌唱音声が入力される。なお、エフェクタ自体は従前の装置（回路）を適用することができる。
【００１５】
また、第２マイク１３からは上記第１コンプ／リミッタ１４と同様の第２コンプ／リミッタ（第２エフェクタ）１７、第２マイクアンプ１８を介してミキシングアンプ１６に歌唱音声が入力される。上記第１及び第２マイクアンプ１５，１８は、入力される歌唱音声（歌唱音量）を設定されたゲインで増幅する回路であり、適宜ゲイン調整するボリウムを備える。上記ミキシングアンプ１６は、第１及び第２マイクアンプ１５，１８からの増幅された歌唱音声と、図示しない楽曲データベースより入力する楽曲演奏データとをミキシングし、適宜ボリウムなどのゲイン調整機能で増幅してスピーカシステム１９より出力させるものである。
【００１６】
上記構成がカラオケシステム１１における基本的な構成要素であり、これに加えて旋律比較判定手段２１、エフェクタ制御手段であるコンプ／リミッタ制御手段２２及び記憶部２３を備える。当該記憶部２３には、第１テーブル２４、第２テーブル２５及び設定値２６の記憶領域が形成される。当該設定値２６は、上記第１及び第２コンプ／リミッタ１４，１７のそれぞれに対する閾値（スレッショレベル）及び圧縮比（コンプレッションレシオ）である。
【００１７】
上記第１テーブル２４は、第１マイク１２又は第２マイク１３の何れかからの歌唱音声入力の場合若しくは後述の旋律比較判定手段２１による比較判定の結果により共に同じ旋律ではない場合の第１音声入力状態のときにおける上記第１及び第２コンプ／リミッタ１４，１７のそれぞれに対する閾値及び圧縮比をデフォルト設定するためのテーブルである（図３で説明する）。また、上記第２テーブル２５は、第１マイク１２及び第２マイク１３の両方から歌唱音声が同時に取得され、共に同じ旋律の場合の第２音声入力状態のときにおける上記第１及び第２コンプ／リミッタ１４，１７のそれぞれに対する閾値及び圧縮比を任意に設定するためのテーブルである（図３で説明する）。
【００１８】
上記旋律比較判定手段２１は、第１マイク１２及び第２マイク１３より歌唱音声を取得し、両方から歌唱音声が同時に取得された場合に、共に同じ旋律か否かを比較判定するプログラムである。例えば、図２に示すように、第１マイク１２より入力される歌唱音高データと第２マイク１３より入力される歌唱音高データとを同期状態で差分を演算して比較し、当該差分データが一定の範囲内であるか否かで同じ旋律か否かを判定する。ここで、音高とは、いわゆる音の高さ（高低）であり、周波数で示される。
【００１９】
上記コンプ／リミッタ制御手段２２は、上記旋律比較判定手段２１における比較判定の結果により共に同じ旋律の場合における第２音声入力状態のときに、入力歌唱音声に対して音量圧縮を行う起点とする音量レベルの閾値及び当該閾値を超えたときの音量圧縮比につき、第１コンプ／リミッタ１４及び第２コンプ／リミッタ１７に上記デフォルト設定された閾値以下の閾値及びデフォルト設定された音量圧縮比より大きい音量圧縮比の少なくとも何れかを当該第１コンプ／リミッタ１４及び第２コンプ／リミッタ１７に設定変更するプログラムである。
【００２０】
上記第１音声入力状態の場合のデフォルト設定される閾値及び圧縮比は、上記第１テーブル２４より設定されもので設定値２６に記憶され、上記第２音声入力状態の場合の閾値及び圧縮比は、上記第２テーブル２５より設定されるもので設定値２６に記憶される（図３で説明する）。すなわち、第１コンプ／リミッタ１４及び第２コンプ／リミッタ１７のそれぞれには、第１音声入力状態の場合のデフォルト設定された閾値及び圧縮比と、第２音声入力状態の場合に任意に設定された閾値及び圧縮比との２通りで音声入力状態に応じてその都度設定されるものである。
【００２１】
なお、本実施形態では、第１マイク１２に対して第１コンプ／リミッタ１４を対応させ、また、第２マイク１３に対して第２コンプ／リミッタ１７を対応させ、それぞれの歌唱音声に対して独立して音量圧縮させているが、本発明はこれに限らず、第１コンプ／リミッタ１４と第２コンプ／リミッタ１７を統合した１つのコンプ／リミッタで両方の歌唱音声に同時に対応させてもよい。
【００２２】
そこで、図３に、図１のコンプ／リミッタ制御手段の制御説明図を示す。図３（Ａ）は、上記第１音声入力状態の場合のデフォルト設定対象の第１テーブル２４の一例であり、固定設定として、リミッタ（圧縮比１：∞）とするときのスレッショルド（閾値）が例えば「−５ｄＢ」で設定され、任意に例えばスレッショルド（閾値）ＴＨ１が「−１５ｄＢ」でコンプレッションレシオ（圧縮比）が「１：３」で選択されて記憶部２３の設定値２６にデフォルト設定として記憶される。
【００２３】
また、図３（Ｂ）は、上記第２音声入力状態の場合の任意設定対象の第２テーブル２５の一例であり、固定設定として、リミッタ（圧縮比１：∞）とするときのスレッショルド（閾値）が例えば「−１０ｄＢ」で設定され、任意に例えばスレッショルド（閾値）ＴＨ２が「−２０ｄＢ」でコンプレッションレシオ（圧縮比）が「１：５」で選択されて記憶部２３の設定値２６に記憶される。
【００２４】
そこで、図３（Ｃ）において、上記旋律比較判定手段２１による比較判定した結果により、第１音声入力状態の場合に、コンプ／リミッタ制御手段２２が、設定値２６に基づいてデフォルト設定されたスレッショルド（閾値）ＴＨ１を「−１５ｄＢ」、デフォルト設定されたコンプレッションレシオ（圧縮比）を「１：３」を各第１及び第２コンプ／リミッタ１４，１７に対して設定する。
【００２５】
そして、第１コンプ／リミッタ１４又は第２コンプ／リミッタ１７は、第１音声入力状態で、第１又は第２マイク１２，１３より入力された歌唱音声の音量レベルがスレッショルドＴＨ１「−１５ｄＢ」を超えた場合に、歌唱音量を圧縮比「１：３」に圧縮して当該各マイクに対応する第１マイクアンプ１５又は第２マイクアンプ１８に出力する。また、当該各マイクに対応する第１マイク１２及び／又は第２マイク１３より入力された歌唱音声の音量レベルが第１音声入力状態リミッタ「−５ｄＢ」を超えた場合には圧縮比「１：∞」に圧縮して当該各マイクに対応する第１マイクアンプ１５及び／又は第２マイクアンプ１８に出力する。
【００２６】
一方、旋律比較判定手段２１の比較判定の結果において上記第２音声入力状態の場合に、コンプ／リミッタ制御手段２２が、設定値２６に基づいて設定されたスレッショルド（閾値）ＴＨ１を「−２０ｄＢ」、設定されたコンプレッションレシオ（圧縮比）を「１：５」を各第１及び第２コンプ／リミッタ１４，１７に対して設定する。
【００２７】
そして、第１コンプ／リミッタ１４又は第２コンプ／リミッタ１７は、第２音声入力状態で、第１マイク１２及び第２マイク１３より入力された歌唱音声の音量レベルがスレッショルドＴＨ２「−２０ｄＢ］を超えた場合に、歌唱音量を圧縮比「１：５」に圧縮して当該各マイクに対応する第１マイクアンプ１５又は第２マイクアンプ１８に出力する。また、当該各マイクに対応する第１マイク１２及び第２マイク１３より入力された歌唱音声の音量レベルが第２音声入力状態リミッタ「−１０ｄＢ」を超えた場合に圧縮比「１：∞」に圧縮して当該各マイクに対応する第１マイクアンプ１５及び／又は第２マイクアンプ１８に出力するものである。
【００２８】
このように、上記第１音声入力状態の場合には聴く者にとってはスピーカ音量は大きく聞こえることがなくスレッショルド（閾値）ＴＨ１を比較的高く設定すると共に、コンプレッションレシオ（圧縮比）を比較的小さく設定し、上記第２音声入力状態の場合にはスレッショルド（閾値）ＴＨ２をスレッショルド（閾値）ＴＨ１より低く設定すると共に、コンプレッションレシオ（圧縮比）を第１音声入力状態の場合より大きく設定することから、マイクアンプのゲインを調整することなく、任意のカラオケ楽曲を歌唱している最中に、同じ旋律を複数の歌唱者が歌唱する場面があった場合でも、聴取者に対してうるさく聴こえさせることなく、また、スピーカシステム１９からの最終出力のうねりなどを回避し、聴取者にとって違和感のない出力状態とすることができるものである。
【００２９】
次に、図４及び図５に、図１のコンプ／リミッタ制御手段の他の制御説明図を示す。上述の図３では、第１及び第２音声入力状態に応じてスレッショルド（閾値）とコンプレッションレシオ（圧縮比）を共に変化させた場合を示したが、図４はスレッショルドを基準としてコンプレッションレシオを変化させた場合であり、図５はコンプレッションレシオ基準としてスレッショルドを変化させた場合である。
【００３０】
図４において、図４（Ａ）は、上記第１音声入力状態の場合の設定対象の第１テーブル２４の一例であり、固定設定として、リミッタ（圧縮比１：∞）とするときのスレッショルド（閾値）が例えば「−５ｄＢ」で設定され、例えばスレッショルド（閾値）ＴＨ１「−１５ｄＢ」を基準として任意にコンプレッションレシオ（圧縮比）が「１：２」で選択されて記憶部２３の設定値２６にデフォルト設定として記憶される。
【００３１】
また、図４（Ｂ）は、上記第２音声入力状態の場合の設定対象の第２テーブル２５の一例であり、固定設定として、リミッタ（圧縮比１：∞）とするときのスレッショルド（閾値）が例えば「−１０ｄＢ」で設定され、上記同様にスレッショルド（閾値）ＴＨ１「−１５ｄＢ」を基準として任意にコンプレッションレシオ（圧縮比）が「１：５」で選択されて記憶部２３の設定値２６に記憶されたものである。
【００３２】
すなわち、図４（Ｃ）に示すように、第１コンプ／リミッタ１４又は第２コンプ／リミッタ１７は、第１音声入力状態で、第１又は第２マイク１２，１３より入力された歌唱音声の音量レベルがスレッショルドＴＨ１「−１５ｄＢ」を超えた場合に、歌唱音量を圧縮比「１：２」に圧縮して当該各マイクに対応する第１マイクアンプ１５又は第２マイクアンプ１８に出力する。
【００３３】
また、第１コンプ／リミッタ１４又は第２コンプ／リミッタ１７は、第２音声入力状態で、第１マイク１２及び第２マイク１３より入力された歌唱音声の音量レベルがスレッショルドＴＨ１「−１５ｄＢ］を超えた場合に、圧縮比「１：５」に圧縮して当該各マイクに対応する第１マイクアンプ１５又は第２マイクアンプ１８に出力するものである。
【００３４】
図５の場合において、図５（Ａ）は、上記第１音声入力状態の場合の設定対象の第１テーブル２４の一例であり、固定設定として、リミッタ（圧縮比１：∞）とするときのスレッショルド（閾値）が例えば「−５ｄＢ」で設定され、例えばコンプレッションレシオ（圧縮比）「１：５」を基準として任意にスレッショルド（閾値）ＴＨ１「−１５ｄＢ」が選択されて記憶部２３の設定値２６にデフォルト設定として記憶される。
【００３５】
また、図５（Ｂ）は、上記第２音声入力状態の場合の設定対象の第２テーブル２５の一例であり、固定設定として、リミッタ（圧縮比１：∞）とするときのスレッショルド（閾値）が例えば「−１０ｄＢ」で設定され、上記同様にコンプレッションレシオ（圧縮比）「１：５」を基準として任意にスレッショルド（閾値）ＴＨ２「−２０ｄＢ」が選択されて記憶部２３の設定値２６に記憶されたものである。
【００３６】
すなわち、図５（Ｃ）に示すように、第１コンプ／リミッタ１４又は第２コンプ／リミッタ１７は、第１音声入力状態で、第１又は第２マイク１２，１３より入力された歌唱音声の音量レベルがスレッショルドＴＨ１「−１５ｄＢ」を超えた場合に、歌唱音量を圧縮比「１：５」に圧縮して当該各マイクに対応する第１マイクアンプ１５又は第２マイクアンプ１８に出力する。
【００３７】
また、第１コンプ／リミッタ１４又は第２コンプ／リミッタ１７は、第２音声入力状態で、第１マイク１２及び第２マイク１３より入力された歌唱音声の音量レベルがスレッショルドＴＨ２「−２０ｄＢ］を超えた場合に、圧縮比「１：５」に圧縮して当該各マイクに対応する第１マイクアンプ１５又は第２マイクアンプ１８に出力するものである。
【００３８】
このように、第１及び第２音声入力状態に応じてスレッショルド（閾値）とコンプレッションレシオ（圧縮比）を共に変化させる場合に止まらず、スレッショルド又はコンプレッションレシオを基準としてコンプレッションレシオ又はスレッショルドを変化させることも可能であり、上記同様の効果を奏することができるものである。
【産業上の利用可能性】
【００３９】
本発明の歌唱音量調整機能を備えるカラオケシステムは、カラオケの基本的機能を備えるカラオケ機器製造の分野に利用可能である。
【符号の説明】
【００４０】
１１            カラオケシステム
１２            第１マイク
１３            第２マイク
１４            第１コンプ／リミッタ
１５            第２コンプ／リミッタ
２１            旋律比較判定手段
２２            コンプ／リミッタ制御手段
【図１】
2010204195.tif 000003
【図２】
2010204195.tif 000004
【図３】
2010204195.tif 000005
【図４】
2010204195.tif 000006
【図５】
2010204195.tif 000007